(57)【要約】【課題】  より多くのユーザーデータの書込みが可能となり、特に、携帯用電子装置の情報貯蔵媒体として利用するのに適合するように小型化が可能である複数のデータ貯蔵手段を具備した情報貯蔵媒体、データ書込み及び／またはデータ読取り装置及びその方法を提供する。【解決手段】  ユーザーデータを書込むための第１データ貯蔵手段と、前記第１データ貯蔵手段の使用と関連して提供される機能に関するデータを書込むための第２データ貯蔵手段とを含む。【選択図】      図２ 
2004348948.tif 000002
【特許請求の範囲】
【請求項１】
ユーザーデータを書込むための第１データ貯蔵手段と、
前記第１データ貯蔵手段の使用と関連して提供される機能に関するデータを書込むための第２データ貯蔵手段を含む情報貯蔵媒体。
【請求項２】
前記第２データ貯蔵手段に書込むための前記データは前記第１データ貯蔵手段の使用と関連して提供される選択的な機能に関するデータであることを特徴とする請求項１に記載の情報貯蔵媒体。
【請求項３】
前記第１データ貯蔵手段は光ディスク、磁気テープ及び磁気ディスクのうち何れか１つであり、前記第２データ貯蔵手段はメモリチップであることを特徴とする請求項１に記載の情報貯蔵媒体。
【請求項４】
前記第１データ貯蔵手段は光ディスクであり、前記第２データ貯蔵手段に書込むための前記データは前記光ディスクの識別番号を含むＢＣＡデータ、前記光ディスクの特性に関するデータ、欠陥管理データ及び前記情報貯蔵媒体を使用するデータ書込み及び／または読取り装置に関するデータのうち少なくとも１つ以上であることを特徴とする請求項１に記載の情報貯蔵媒体。
【請求項５】
前記第１データ貯蔵手段または前記第２データ貯蔵手段には、データの種類によって前記第１データ貯蔵手段と前記第２データ貯蔵手段とのうち、それぞれのデータが書込まれるデータ貯蔵手段が何かを表すデータ貯蔵手段情報が書込まれたことを特徴とする請求項１に記載の情報貯蔵媒体。
【請求項６】
前記第１データ貯蔵手段は光ディスクであり、前記第２データ貯蔵手段はメモリチップであり、
前記光ディスクを格納するカートリッジをさらに含み、前記メモリチップは前記カートリッジの外側または内側のうち何れか１箇所に付着され、前記カートリッジは前記メモリチップとデータ書込み及び／または読取り装置間のデータ通信のためのインターフェース手段を具備することを特徴とする請求項１に記載の情報貯蔵媒体。
【請求項７】
前記第１データ貯蔵手段は光ディスクであり、前記光ディスクの内径に駆動モーターとのチャッキングのためのハブを具備し、前記ハブには前記第２データ貯蔵手段が装着されたことを特徴とする請求項１に記載の情報貯蔵媒体。
【請求項８】
第１データ貯蔵手段と第２データ貯蔵手段とを具備した情報貯蔵媒体にデータを書込むデータ書込み装置において、
前記第１データ貯蔵手段と前記第２データ貯蔵手段とのうち、データの種類によってそれぞれのデータが書込まれるデータ貯蔵手段が何かを表すデータ貯蔵手段情報を貯蔵するデータ貯蔵部と、
前記情報貯蔵媒体に書込むデータを入力され、前記データ記録媒体情報を参照して、前記情報貯蔵媒体に含まれた第１データ貯蔵手段と第２データ貯蔵手段とのうち前記入力データを書込むデータ貯蔵手段を決定する制御部とを含むことを特徴とする装置。
【請求項９】
前記制御部は、ユーザーデータを含む所定種類のデータは前記第１データ貯蔵手段に書込むように決定し、前記第１データ貯蔵手段の使用と関連して提供される機能に関するデータは前記第２データ貯蔵手段に書込むように決定することを特徴とする請求項８に記載の装置。
【請求項１０】
前記第２データ貯蔵手段に書込まれる前記機能に関するデータは前記第１データ貯蔵手段の使用と関連して提供される選択的な機能に関するデータであることを特徴とする請求項９に記載の装置。
【請求項１１】
前記第１データ貯蔵手段は光ディスク、磁気テープ及び磁気ディスクのうち何れか１つであり、前記第２データ貯蔵手段はメモリチップであることを特徴とする請求項８に記載の装置。
【請求項１２】
前記第１データ貯蔵手段は光ディスクであり、前記第２データ貯蔵手段に書込まれる前記機能に関するデータは前記光ディスクの識別番号を含むＢＣＡデータ、前記光ディスクの特性に関するデータ、欠陥管理データ及び前記情報貯蔵媒体を使用するデータ書込み及び／または読取り装置に関するデータのうち少なくとも１つ以上であることを特徴とする請求項８に記載の装置。
【請求項１３】
前記データ記録媒体情報は前記第１データ貯蔵手段から読取った後、前記データ貯蔵部に貯蔵されたことを特徴とする請求項８に記載の装置。
【請求項１４】
前記第１データ貯蔵手段が光ディスクである場合、前記制御部の制御によって、前記光ディスクにデータを書込むか、読取る書込み／読取り部を含むことを特徴とする請求項８に記載の装置。
【請求項１５】
前記第２データ貯蔵手段がメモリチップである場合、前記制御部の制御によって、前記メモリチップにデータを書込むか読取るインターフェース部を含むことを特徴とする請求項８に記載の装置。
【請求項１６】
第１データ貯蔵手段と第２データ貯蔵手段とを具備した情報貯蔵媒体にデータを書込む方法において、
前記情報貯蔵媒体に書込むデータを入力される段階と、
前記第１データ貯蔵手段と前記第２データ貯蔵手段とのうち、データの種類によってそれぞれのデータが書込まれるデータ貯蔵手段が何かを表すデータ貯蔵手段情報を参照して、前記情報貯蔵媒体に含まれた第１データ貯蔵手段と第２データ貯蔵手段とのうち前記入力データを書込むデータ貯蔵手段を決定する段階と、
前記決定されたデータ貯蔵手段に前記入力データを書込む段階と、を含むことを特徴とする方法。
【請求項１７】
前記データ貯蔵手段決定段階は、ユーザーデータを含む所定種類のデータは前記第１データ貯蔵手段に書込むように決定し、前記第１データ貯蔵手段の使用と関連して提供される機能に関するデータは前記第２データ貯蔵手段に書込むように決定する段階であることを特徴とする請求項１６に記載の方法。
【請求項１８】
前記第２データ貯蔵手段に書込まれる前記機能に関するデータは前記第１データ貯蔵手段の使用と関連して提供される選択的な機能に関するデータであることを特徴とする請求項１７に記載の方法。
【請求項１９】
前記第１データ貯蔵手段は光ディスク、磁気テープ及び磁気ディスクのうち何れか１つであり、前記第２データ貯蔵手段はメモリチップであることを特徴とする請求項１６に記載の方法。
【請求項２０】
前記第１データ貯蔵手段は光ディスクであり、前記第２データ貯蔵手段に書込まれる前記機能に関するデータは前記光ディスクの識別番号を含むＢＣＡデータ、前記光ディスクの特性に関するデータ、欠陥管理データ及び前記情報貯蔵媒体を使用するデータ書込み及び／または読取り装置に関するデータのうち少なくとも１つ以上であることを特徴とする請求項１６に記載の方法。
【請求項２１】
前記データ貯蔵手段情報は前記第１データ貯蔵手段にあらかじめ貯蔵されたものであり、
前記データ貯蔵手段情報を前記第１データ貯蔵手段から読取る段階を含むことを特徴とする請求項１６に記載の方法。
【請求項２２】
第１データ貯蔵手段と第２データ貯蔵手段とを具備した情報貯蔵媒体に書込まれたデータを読み取るデータ読取り装置において、
前記第１データ貯蔵手段と前記第２データ貯蔵手段とのうち、データの種類によってそれぞれのデータが書込まれたデータ貯蔵手段が指定されたデータ貯蔵手段情報が貯蔵されたデータ貯蔵部と、
前記データ貯蔵手段情報を参照して、前記第１データ貯蔵手段と前記第２データ貯蔵手段とのうち読取るデータが書込まれたデータ貯蔵手段を決定する制御部とを含むことを特徴とする装置。
【請求項２３】
前記制御部はユーザーデータは前記第１データ貯蔵手段から読取るように決定し、前記第１データ貯蔵手段の使用と関連して提供される機能に関するデータは前記第２データ貯蔵手段から読取るように決定することを特徴とする請求項２２に記載の装置。
【請求項２４】
前記第２データ貯蔵手段から読取られる前記機能に関するデータは前記第１データ貯蔵手段の使用と関連して提供される選択的な機能に関するデータであることを特徴とする請求項２３に記載の装置。
【請求項２５】
前記第１データ貯蔵手段は光ディスク、磁気テープ及び磁気ディスクのうち何れか１つであり、前記第２データ貯蔵手段はメモリチップであることを特徴とする請求項２２に記載の装置。
【請求項２６】
前記第１データ貯蔵手段が光ディスクである場合、前記第２データ貯蔵手段から読取られる前記機能に関するデータは前記光ディスクの識別番号を含むＢＣＡデータ、前記光ディスクの特性に関するデータ、欠陥管理データ及び前記情報貯蔵媒体を使用するデータ書込み及び／または読取り装置に関するデータのうち少なくとも１つ以上であることを特徴とする請求項２２に記載の装置。
【請求項２７】
前記データ貯蔵手段情報は前記第１データ貯蔵手段から読取られて前記データ貯蔵部に貯蔵されたことを特徴とする請求項２２に記載の装置。
【請求項２８】
前記第１データ貯蔵手段が光ディスクである場合、前記制御部の制御によって、前記光ディスクに書込まれたデータを読取る読取り部を含むことを特徴とする請求項２２に記載の装置。
【請求項２９】
前記第２データ貯蔵手段がメモリチップである場合、前記制御部の制御によって、前記メモリチップに書込まれたデータを読取るインターフェース部を含むことを特徴とする請求項２２に記載の装置。
【請求項３０】
第１データ貯蔵手段と第２データ貯蔵手段とを具備した情報貯蔵媒体に書込まれたデータを読取る方法において、
前記情報貯蔵媒体に書込まれた所定データの読取り命令を入力される段階と、
前記第１データ貯蔵手段と前記第２データ貯蔵手段とのうち、データの種類によってそれぞれのデータが書込まれるデータ貯蔵手段が何かを表すデータ貯蔵手段情報を参照して、前記情報貯蔵媒体に含まれた第１データ貯蔵手段と第２データ貯蔵手段とのうち前記所定データが書込まれたデータ貯蔵手段を決定する段階と、
前記決定されたデータ貯蔵手段から前記所定データを読取る段階とを含むことを特徴とする方法。
【請求項３１】
前記データ貯蔵手段決定段階は、ユーザーデータは前記第１データ貯蔵手段から読取るように決定し、前記第１データ貯蔵手段の使用と関連して提供される機能に関するデータは前記第２データ貯蔵手段から読取るように決定する段階であることを特徴とする請求項３０に記載の方法。
【請求項３２】
前記第２データ貯蔵手段から読取られる前記機能に関するデータは前記第１データ貯蔵手段の使用と関連して提供される選択的な機能に関するデータであることを特徴とする請求項３１に記載の方法。
【請求項３３】
前記第１データ貯蔵手段は光ディスク、磁気テープ及び磁気ディスクのうち何れか１つであり、前記第２データ貯蔵手段はメモリチップであることを特徴とする請求項３０に記載の方法。
【請求項３４】
前記第１データ貯蔵手段が光ディスクである場合、前記第２データ貯蔵手段から読取られる前記機能に関するデータは前記光ディスクの識別番号を含むＢＣＡデータ、前記光ディスクの特性に関するデータ、欠陥管理データ及び前記情報貯蔵媒体を使用するデータ書込み及び／または読取り装置に関するデータのうち少なくとも１つ以上であることを特徴とする請求項３０に記載の方法。
【請求項３５】
前記データ貯蔵手段情報は前記第１データ貯蔵手段にあらかじめ貯蔵されたものであり、
前記データ貯蔵手段情報を前記第１データ貯蔵手段から読取る段階を含むことを特徴とする請求項３０に記載の方法。
【請求項３６】
第１データ貯蔵手段と第２データ貯蔵手段とを具備した情報貯蔵媒体にデータ書込み方法において、
前記情報貯蔵媒体に書込むデータを入力される段階と、
前記第１データ貯蔵手段と前記第２データ貯蔵手段とのうち、データの種類によってそれぞれのデータが書込まれるデータ貯蔵手段が何かを表すデータ貯蔵手段情報を参照して、前記情報貯蔵媒体に含まれた第１データ貯蔵手段と第２データ貯蔵手段とのうち前記入力データを書込むデータ貯蔵手段を決定する段階と、
前記決定されたデータ貯蔵手段に前記入力データを書込む段階とを含むことを特徴とする方法を実現するためのプログラムを書込んだコンピュータ可読記録媒体。
【請求項３７】
第１データ貯蔵手段と第２データ貯蔵手段とを具備した情報貯蔵媒体に書込まれたデータ読取り方法において、
前記情報貯蔵媒体に書込まれた所定データの読取り命令を入力される段階と、
前記第１データ貯蔵手段と前記第２データ貯蔵手段とのうち、データの種類によってそれぞれのデータが書込まれるデータ貯蔵手段が何かを表すデータ貯蔵手段情報を参照して、前記情報貯蔵媒体に含まれた第１データ貯蔵手段と第２データ貯蔵手段とのうち前記所定データが書込まれたデータ貯蔵手段を決定する段階と、
前記決定されたデータ貯蔵手段から前記所定データを読取る段階とを含むことを特徴とする方法を実現するためのプログラムを書込んだコンピュータで可読記録媒体。
【発明の詳細な説明】
【技術分野】
【０００１】
本発明は、異種のデータ貯蔵手段を具備した情報貯蔵媒体、データ書込み及び／またはデータ読取り装置及びその方法に関する。
【背景技術】
【０００２】
情報貯蔵媒体としては、フロッピー（登録商標）ディスク及びハードディスクのような磁気ディスク、磁気テープ、ＲＯＭかＲＡＭのような半導体メモリチップ及びＣＤ、ＤＶＤのような光ディスクがある。
【０００３】
このような情報貯蔵媒体のうち光ディスクは半導体技術及び信号処理技術の発展により情報貯蔵容量が急激に増加しており、その価格も比較的安くて非常に広範囲に使われている。
【０００４】
一方、最近にはカムコーダのように音声だけでなく映像情報まで共に書込み及び／または読取りできる携帯用電子装置の情報貯蔵媒体として光ディスクを利用しようとする試みがある。
【０００５】
しかし、従来の光ディスクをカムコーダのような携帯用電子装置に利用するには様々な問題がある。さらに詳細には、現在に主に使われる８０ｍｍまたは１２０ｍｍサイズの光ディスクをカムコーダの情報貯蔵媒体として利用するには過度に大きく、消費電力が大きくて一般ユーザーが利用するには非常に不便である。
【０００６】
したがって、カムコーダのような携帯用電子装置の情報貯蔵媒体として光ディスクを利用するためには従来の光ディスクよりサイズはより小さい一方、データ書込み密度はさらに向上した光ディスクが要求される。
【０００７】
また、オーディオ／ビデオデータなどのユーザーデータ以外に光ディスクに書込む情報はできれば減らすことによってユーザーデータ書込み領域は広めることが必要である。
【０００８】
図１は、従来の光ディスクの構造の一例を示す図である。光ディスクの内周から外周方向に光ディスクの識別情報である一連番号を書込むＢＣＡ（Ｂｕｒｓｔ  Ｃｕｔｔｉｎｇ  Ａｒｅａ）、リードインゾーン、データゾーン及びリードアウトゾーンが順次に配置される。
【０００９】
リードインゾーンはさらに細分化されて、コントロールデータ領域、インフォメーション領域、ＯＰＣ（Ｏｐｔｉｍｕｍ  Ｐｏｗｅｒ  Ｃｏｎｔｒｏｌ）領域及び多数のバッファ領域に分れる。
【００１０】
コントロールデータ領域は光ディスクのバージョン番号、光ディスクのサイズ及び光ディスクの種類などの光ディスクの特性に関する情報が書込まれ、インフォメーション領域は欠陥管理と関連した情報などが書込まれる。
【００１１】
欠陥管理と関連した情報とは、ユーザーデータ領域のうち一部領域に欠陥が発生してユーザーデータを書込めない場合、欠陥が発生した領域のアドレスとそのユーザーデータとが書込まれた代替領域のアドレスを含む情報をいい、さらに広くは、代替領域に書込まれたユーザーデータを含む。
【００１２】
ＯＰＣ  ａｒｅａは書込み条件を求めるために書込みテストをするために具備された領域であり、バッファ領域は特性が相異なる二領域を区別するための緩衝役割をする領域である。データゾーンはユーザーデータが書込まれる領域である。リードアウトゾーンの構造はリードインゾーンの構造と類似している。
【００１３】
前述したように、従来光ディスクと同じ構造を有する携帯用電子装置用光ディスクを製作するならば、リードインゾーン及びリードアウトゾーンに書込まれる情報によってユーザーデータの書込み容量が制約される。
【００１４】
例えば、ＢＣＡはトラック方向ではないラジアル方向にバーコードと類似した形態のコードが書込まれるために相当広い面積を占める。さらに詳細に説明すれば、光ディスクの半径が１５ｍｍ、トラックピッチを０.３２μｍ、１Ｔの長さを７４.５ｎｍとし、半径６ｍｍから１４ｍｍまでＲＬＬ（１,７）系列の変調コードを利用してデータを書込む場合、光ディスクの書込み容量は約１.２６ＧＢである。このような光ディスクにＢＣＡ情報を半径６〜７ｍｍ間に書込むならば、光ディスクのデータ容量が１１７ＭＢが減る。これは全体データ書込み容量１.２６ＧＢの約１０％に該当する量であって、少量のＢＣＡ情報を書込むために損失されるデータの容量が非常に大きい。
【００１５】
一方、光ディスクではない他の情報貯蔵媒体、例えば磁気テープまたは磁気ディスクを携帯用電子装置の情報貯蔵媒体として利用する場合にも前述したように情報貯蔵媒体のサイズ問題及び消費電力に関する問題がある。
【特許文献１】特開平５−１６６２４５号公報
【特許文献２】特開平５−２５８５１８号公報
【特許文献３】特開２００２−２５１８６１号公報
【特許文献４】欧州特許３３２１７０Ａ２
【発明の開示】
【発明が解決しようとする課題】
【００１６】
本発明が解決しようとする技術的課題は、従来の情報貯蔵媒体に比べてさらに多くのユーザーデータの書込みが可能な情報貯蔵媒体を提供するところにある。
【００１７】
本発明が解決しようとする他の技術的課題は、本発明による情報貯蔵媒体により多くのユーザーデータ書込みが可能なデータ書込み装置及びその方法を提供するところにある。
【００１８】
本発明が解決しようとするさらに他の技術的課題は、本発明による情報貯蔵媒体に書込まれたデータを読取るデータ読取り装置及びその方法を提供するところにある。
【課題を解決するための手段】
【００１９】
前記課題を解決するための本発明による情報貯蔵媒体は、ユーザーデータを書込むための第１データ貯蔵手段と、前記第１データ貯蔵手段の使用と関連して提供される機能に関するデータを書込むための第２データ貯蔵手段とを含む。
【００２０】
前記他の課題を解決するための本発明によるデータ書込み装置は、第１データ貯蔵手段と第２データ貯蔵手段とを具備した情報貯蔵媒体にデータを書込むデータ書込み装置において、前記第１データ貯蔵手段と前記第２データ貯蔵手段のうち、データの種類によってそれぞれのデータが書込まれるデータ貯蔵手段が何かを表すデータ貯蔵手段情報を貯蔵するデータ貯蔵部と、前記情報貯蔵媒体に書込むデータを入力されて、前記データ記録媒体情報を参照して、前記情報貯蔵媒体に含まれた第１データ貯蔵手段と第２データ貯蔵手段とのうち前記入力データを書込むデータ貯蔵手段を決定する制御部とを含む。
【００２１】
前記他の課題を解決するための本発明によるデータ書込み方法は、第１データ貯蔵手段と第２データ貯蔵手段とを具備した情報貯蔵媒体にデータを書込む方法において、前記情報貯蔵媒体に書込むデータを入力される段階と、前記第１データ貯蔵手段と前記第２データ貯蔵手段のうち、データの種類によってそれぞれのデータが書込まれるデータ貯蔵手段が何かを表すデータ貯蔵手段情報を参照して、前記情報貯蔵媒体に含まれた第１データ貯蔵手段と第２データ貯蔵手段とのうち前記入力データを書込むデータ貯蔵手段を決定する段階と、前記決定されたデータ貯蔵手段に前記入力データを書込む段階とを含む。
【００２２】
前記さらに他の課題を解決するための本発明によるデータ読取り装置は、第１データ貯蔵手段と第２データ貯蔵手段とを具備した情報貯蔵媒体に書込まれたデータを読み取るデータ読取り装置において、前記第１データ貯蔵手段と前記第２データ貯蔵手段とのうち、データの種類によってそれぞれのデータが書込まれたデータ貯蔵手段が指定されたデータ貯蔵手段情報が貯蔵されたデータ貯蔵部と、前記データ貯蔵手段情報を参照して、前記第１データ貯蔵手段と前記第２データ貯蔵手段とのうち読取るデータが書込まれたデータ貯蔵手段を決定する制御部とを含む。
【００２３】
前記他の課題を解決するための本発明によるデータ読取り方法は、第１データ貯蔵手段と第２データ貯蔵手段とを具備した情報貯蔵媒体に書込まれたデータを読取る方法において、前記情報貯蔵媒体に書込まれた所定データの読取り命令を入力される段階と、前記第１データ貯蔵手段と前記第２データ貯蔵手段とのうち、データの種類によってそれぞれのデータが書込まれるデータ貯蔵手段が何かを表すデータ貯蔵手段情報を参照して、前記情報貯蔵媒体に含まれた第１データ貯蔵手段と第２データ貯蔵手段とのうち前記所定データが書込まれたデータ貯蔵手段を決定する段階と、前記決定されたデータ貯蔵手段から前記所定データを読取る段階とを含む。
【発明の効果】
【００２４】
本発明による情報貯蔵媒体は複数のデータ貯蔵手段を具備することによってより多くのユーザーデータの書込みが可能となる。特に、本発明による情報貯蔵媒体は携帯用電子装置の情報貯蔵媒体として利用するのに適合するように小型化が可能である。また、データ信頼度の高いデータ貯蔵手段を利用することによって書込まれたデータの信頼性が向上する効果を提供する。また、本発明による情報貯蔵媒体にデータを書込むか、書込まれたデータを読取りできるデータ書込み及び／または読取り装置及びその方法が提供される。
【発明を実施するための最良の形態】
【００２５】
以下、添付された図面を参照して本発明による実施例を詳細に説明する。
【００２６】
従来の情報貯蔵媒体よりサイズは小さく、より広いユーザーデータ領域を具備するために本発明では少なくとも２つ以上のデータ貯蔵手段を具備した情報貯蔵媒体を提供する。
【００２７】
図２は、本発明の一実施例による情報貯蔵媒体１０を示す図である。図２を参照すれば、情報貯蔵媒体１０はカートリッジ１１、第１データ貯蔵手段である光データ貯蔵手段１３、第２データ貯蔵手段であるメモリチップ１５、インターフェースロジック１７及びスロット１９を含む。
【００２８】
カートリッジ１１は光データ貯蔵手段１３を格納する。光データ貯蔵手段１３は携帯用電子装置の情報貯蔵媒体として利用するための小型の光ディスクである。しかし、必ずしも小型の光ディスクに限定されるものではない。
【００２９】
メモリチップ１５はカートリッジ１１に付着される。メモリチップ１５は多様な種類の電子式メモリ装置であって、例えばフラッシュメモリが使用できる。
【００３０】
カートリッジ１１はスクラッチ及び指紋による光情報貯蔵手段１３に欠陥が発生することを防止する。また、カートリッジ１１は情報貯蔵媒体１００がローディングされるデータ書込み及び／または読取り装置とメモリチップ１５間のデータ通信のためのインターフェース手段に該当するインターフェースロジック１７及びスロット１９を具備する。
【００３１】
光データ貯蔵手段１３にはユーザーデータを含む所定類型のデータが書込まれ、メモリチップ１５には光データ貯蔵手段１３の使用と関連して提供される機能に関するデータが書込まれる。光データ貯蔵手段１３の使用とは、データ書込み及び／または読取り装置に、光データ貯蔵手段１３からデータを書込み／読取りすることをいう。
【００３２】
光データ貯蔵手段１３の使用と関連して提供される機能に関するデータの例としては、光データ貯蔵手段１３の識別情報である一連番号を含むＢＣＡ情報、光データ貯蔵手段１３のバージョン番号、サイズ及び種類などの光データ貯蔵手段１３の特性に関する情報、欠陥管理と関連した情報及び光データ貯蔵手段１３を使用するデータ書込み及び／または読取り装置に関する情報などである。
【００３３】
メモリチップ１５に光データ貯蔵手段１３の使用と関連して提供される機能のうち選択的な機能に関するデータを書込むことが望ましい。選択的な機能に関するデータとは、光データ貯蔵手段１３の使用において必ずしも必要なデータではなく、そのデータが書込まれれば、光データ貯蔵手段１３をより効率的にまたは書込みまたは読取りデータに高い信頼度が付与できるデータをいう。ＢＣＡ情報、光データ貯蔵手段１３の特性に関する情報のうち書込み可能倍速に関する情報、欠陥管理と関連した情報及び光データ貯蔵手段１３を使用するデータ書込み及び／または読取り装置に関する情報などは選択的な機能に関するデータといえる。
【００３４】
図３Ａは、本発明の一実施例による光データ貯蔵手段１３の構造を示す図である。図１に示された従来の光情報貯蔵媒体のデータ領域構造と比較すれば、図３Ａに示された光データ貯蔵手段１３０のリードインゾーンにはＢＣＡが備えられていない。
【００３５】
図３Ｂは、本発明の他の実施例による光データ貯蔵手段１３の構造を示す図である。図３Ｂに示された光データ貯蔵手段１３はより広いユーザーデータゾーンを確保するために、リードインゾーンにはＢＣＡだけでなくＣｏｎｔｒｏｌ  ｄａｔａ領域とインフォメーション領域とが備えられていない。
【００３６】
光データ貯蔵手段１３に書込まれないＢＣＡ情報などの情報はメモリチップ１５に書込む。すなわち、光データ貯蔵手段１３の使用に関するデータとして必須でないデータは光データ貯蔵手段１３でないメモリチップ１５に書込むことによって光データ貯蔵手段１３により広いユーザーデータ領域を割り当てられる。
【００３７】
図３Ａに示された光データ貯蔵手段１３の構造によれば、メモリチップ１５には光データ貯蔵手段１３の使用と関連して提供される機能のうち選択的な機能に関するデータが書込まれる。
【００３８】
しかし、図３Ｂに示された光データ貯蔵手段１３の構造によれば、メモリチップ１５にはＯＰＣデータ及びユーザーデータを除外したあらゆるデータが書込まれる。
【００３９】
一方、メモリチップ１５に書込まれる情報のうち、ＢＣＡ情報または光データ貯蔵手段１３の特性に関する情報のうち一部は変更されてはならない情報であるので、一旦メモリチップ１５に書込まれた後には変更できなくする。
【００４０】
メモリチップ１５に光データ貯蔵手段１３の使用に関する一部のデータを書込むことによって光データ貯蔵手段１３のより広いユーザーデータ領域が確保できる一方、書込まれたデータの信頼性が向上する。すなわち、欠陥管理と関連した情報を従来の光データ貯蔵手段に書込む場合、信頼性を高めるためにリードインゾーン及びリードアウトゾーンに数回にわたって同じ欠陥管理情報を書込み続ける。
【００４１】
しかし、欠陥管理に関する情報をメモリチップ１５に書込むならば、反復的に書込む必要がなく、書込まれた情報の信頼性も向上する。
【００４２】
一方、光データ貯蔵手段１３とメモリチップ１５とのうち、データの種類によってそれぞれのデータが書込まれた、または書込まれるデータ貯蔵手段が指定されたデータ貯蔵手段情報が光データ貯蔵手段１３０のリードインゾーンのインフォメーション領域に書込まれる場合もある。データ書込み及び／または読取り装置は前記データ貯蔵手段情報を参照することによって光データ貯蔵手段１３とメモリチップ１５とのうち特定種類のデータを書込むデータ貯蔵手段または読取るデータが書込まれたデータ貯蔵手段が分かる。
【００４３】
また、前述したデータ貯蔵手段情報は光データ貯蔵手段１３でないデータ書込み及び／または読取り装置内のメモリにあらかじめ貯蔵される場合もある。
【００４４】
本発明による情報貯蔵媒体１０は光データ貯蔵手段１３でない他の種類のデータ貯蔵手段、例えば磁気テープ及び磁気ディスクを第１データ貯蔵手段として利用することも可能である。
【００４５】
図４は、本発明の他の実施例による情報貯蔵媒体２０を示す図であり、図５は、図４に示された情報貯蔵媒体２０の断面図である。図５を参照すれば、本実施例による情報貯蔵媒体２０は光データ貯蔵手段２１及びハブ２３を含み、中央には中央ホール２４が形成されている。
【００４６】
光データ貯蔵手段２１は携帯用電子装置の情報貯蔵媒体として利用するための小型の光ディスクである。しかし、必ずしも小型の光ディスクに限定されるものではない。
【００４７】
ハブ２３は本発明による情報貯蔵媒体２０がデータ書込み及び／または読取り装置（図示せず）にローディングされる場合、データ書込み及び／または読取り装置内のスピンドルモーターとのチャッキングのための手段である。
【００４８】
本実施例による情報貯蔵媒体２０はより多くのユーザーデータを光情報貯蔵手段２１に書込むためにハブ２３を利用する。
【００４９】
図６は、図４に示されたハブ２３の一実施例を示す図である。図６を参照すれば、ハブ２３の中央には中央ホール２４が形成されており、ハブ２３の所定領域には光データ貯蔵手段２１の識別番号を表すＢＣＡデータがバーコード形式に書込まれている。
【００５０】
前述したように、従来ＢＣＡは光ディスクの内周の所定領域にラジアル方向にバーコードと類似した形態に書込まれるために相当広い面積を占めることによってその面積に該当するほどのデータを書込めなかった。
【００５１】
したがって、図６に示されたようにＢＣＡデータをハブ２３に書込むことによってより広いユーザーデータ領域の確保が可能となる。
【００５２】
図７は、図４に示されたハブの他の実施例を示す図である。図７を参照すれば、ハブ２３の中央には中央ホール２４が形成されており、メモリチップ２７が装着されている。すなわち、本実施例による情報貯蔵媒体２０は第１データ貯蔵手段として光データ貯蔵手段２１を利用し、第２データ貯蔵手段としてメモリチップ２７を利用するが、メモリチップ２７をハブ２３に装着する。
【００５３】
図２に示した実施例による情報貯蔵媒体１０の場合、メモリチップ１５がカートリッジ１１に装着される一方、本実施例による情報貯蔵媒体２０はメモリチップ２７がハブ２３に装着される点に差がつく。前述した他の実施例でのように、本実施例による情報貯蔵媒体２０の光データ貯蔵手段２１にはユーザーデータを含む所定種類のデータが書込まれ、メモリチップ２７には光データ貯蔵手段２１の使用と関連して提供される機能に関するデータが貯蔵される。光データ貯蔵手段２１の使用と関連して提供される機能に関するデータの例としては、光情報貯蔵手段２１の識別情報の一連番号を含むＢＣＡ情報、光データ貯蔵手段２１のバージョン番号、サイズ及び種類などの光データ貯蔵手段２１の特性に関する情報、欠陥管理と関連した情報及び光データ貯蔵手段２１を使用するデータ書込み及び／または読取り装置に関する情報などである。
【００５４】
図８は、本発明の一実施例によるデータ書込み及び／または読取り装置２００のブロック図である。図８を参照すれば、データ書込み及び／または読取り装置２００はデータ貯蔵部２１０、制御部２２０、入力データインターフェース部２４０、コーデック２６０、書込み／読取り部２８０及び第２データ貯蔵手段インターフェース部２９０を含む。
【００５５】
データ書込み及び／または読取り装置２００は情報貯蔵媒体３００にデータを書込むか、書込まれたデータを読取って再生する。すなわち、データ書込み及び／または読取り装置２００は情報貯蔵媒体３００にデータ書込み及び読取りが可能な装置であるか、データの読取りのみが可能な装置である。
【００５６】
情報貯蔵媒体３００は図２または図４に示した本発明による情報貯蔵媒体であって、第１データ貯蔵手段３１０と第２データ貯蔵手段３３０とを含む。
【００５７】
本実施例で第１データ貯蔵手段３１０は光データ貯蔵手段であり、第２データ貯蔵手段３３０はメモリチップである。
【００５８】
第１データ貯蔵手段３１０にはユーザーデータを含むデータを書込み、第２データ貯蔵手段３３０には第１データ貯蔵手段３１０の使用と関連して提供される機能に関するデータを書込む。特に、第２データ貯蔵手段３３０には第１データ貯蔵手段３１０の使用と関連して提供される機能に関するデータのうち選択的な機能に関するデータを書込むことが望ましい。
【００５９】
データ貯蔵部２１０はデータ書込み及び／または読取り装置２００に関する情報、例えばデータ書込み及び／または読取り装置２００の種類に関する情報を含む。そして、第１データ貯蔵手段３１０と第２データ貯蔵手段３３０のうち、データの種類によってそれぞれのデータが書込まれるデータ貯蔵手段が何かを表すデータ貯蔵手段情報を貯蔵する。
【００６０】
データ貯蔵手段情報はデータ貯蔵部２１０にあらかじめ貯蔵されるか、第１データ貯蔵手段３１０の所定領域にあらかじめ書込まれたものを書込み／読取り部２８０が読取ってデータ貯蔵部２１０に貯蔵する場合もある。
【００６１】
制御部２２０はデータ貯蔵部２１０に貯蔵されたデータ貯蔵手段情報を参照して、情報貯蔵媒体３００に含まれた第１データ貯蔵手段３１０と第２データ貯蔵手段３３０とのうちデータを書込むか、読取るデータが書込まれたデータ貯蔵手段を決定する。
【００６２】
入力データインターフェース部２４０は情報貯蔵媒体３００に書込むデータを入力されて制御部２２０に提供する。
【００６３】
コーデック２６０は情報貯蔵媒体３００に書込むデータを所定方式に符号化または変調するか、情報貯蔵媒体３００から読取られたデータを所定方式に復号化または復調する。
【００６４】
コーデック２６０は第１データ貯蔵手段３１０に対応する第１コーデック２６１と第２データ貯蔵手段３３０に対応する第２コーデック２６３とを含む。それぞれのデータ貯蔵手段にデータを書込むための符号化または変調方式が相異なる場合、それぞれのデータ貯蔵手段に対応するコーデックをそれぞれ具備する。しかし、それぞれのデータ貯蔵手段にデータを書込むための符号化または変調方式が同じである場合には１つのコーデックであれば十分である。
【００６５】
書込み／読取り部２８０は第１データ貯蔵手段３１０にデータを書込むか、第１データ貯蔵手段３１０に書込まれたデータを読取る。第１データ貯蔵手段３１０が光データ貯蔵手段である場合、書込み／読取り部２８０は光ピックアップを含む。
【００６６】
第２情報貯蔵手段インターフェース部２９０は第２データ貯蔵手段３３０にデータを書込むか、第２データ貯蔵手段３３０に書込まれたデータを読取る。
【００６７】
以上で説明したデータ書込み及び／または読取り装置２００の構造を参照して、本発明によるデータ書込み方法について説明する。
【００６８】
図９は、本発明の一実施例によるデータ書込み方法のフローチャートである。まず、情報貯蔵媒体３００がデータ書込み及び／または読取り装置２００にローディングされれば、制御部２２０の制御によって書込み／読取り部２８０は情報貯蔵媒体３００の所定領域に書込まれたデータ貯蔵手段情報を読取り、読取られたデータ貯蔵手段情報はデータ貯蔵部２１０に貯蔵される（第４１０段階）。しかし、データ貯蔵手段情報があらかじめデータ貯蔵部２１０に貯蔵された場合、第４１０段階は行われない。
【００６９】
情報貯蔵媒体３００に書込むデータを制御部２２０が入力される（第４３０段階）。ユーザーデータである場合は入力データインターフェース部２４０を通じて入力され、データ書込み及び／または読取り装置２００に関する情報データである場合にはデータ貯蔵部２１０から入力される。また、欠陥管理に関する情報は第１コーデック２６１を通じて入力される。
【００７０】
制御部２２０はデータ貯蔵部２１０に貯蔵されたデータ貯蔵手段情報を参照して、第１データ貯蔵手段３１０と第２データ貯蔵手段３３０とのうち入力データを書込むデータ貯蔵手段を決定する（第４５０段階）。
【００７１】
第１データ貯蔵手段３１０と第２データ貯蔵手段３３０とのうち入力データを書込むデータ貯蔵手段が決定されれば、制御部２２０は第１コーデック２６１と第２コーデック２６３とのうち、入力データを書込むデータ貯蔵手段に対応するコーデックに入力データを出力する。所定方式に符号化または変調された入力データは書込み／読取りヘッド２８０または第２データ貯蔵手段インターフェース部２９０を通じて第１データ貯蔵手段３１０または第２データ貯蔵手段３３０に書込まれる（第４７０段階）。
【００７２】
以下では、前述したデータ書込み及び／または読取り装置２００の構造を参照して、本発明による情報貯蔵媒体に書込まれたデータを読取る方法について説明する。
【００７３】
図１０は、本発明の一実施例によるデータ読取り方法のフローチャートである。
【００７４】
情報貯蔵媒体３００がデータ書込み及び／または読取り装置２００にローディングされれば、制御部２２０の制御によって書込み／読取り部２８０は情報貯蔵媒体３００の所定領域に書込まれたデータ貯蔵手段情報を読取り、読取られたデータ貯蔵手段情報はデータ貯蔵部２１０に貯蔵される（第５１０段階）。しかし、データ貯蔵手段情報があらかじめデータ貯蔵部２１０に貯蔵された場合、第５１０段階は行われない。
【００７５】
制御部２２０は所定データの読取り命令を入力される（第５２０段階）。読取るデータがユーザーデータであれば、ユーザーからデータ読取り命令を入力される。しかし、ユーザーから読取り命令が入力された場合の他には情報貯蔵媒体３００に書込まれたデータの読取りのために必要な所定データの読取りのための命令を制御部２２０自らが生成する。
【００７６】
制御部２２０はデータ貯蔵部２１０に貯蔵されたデータ貯蔵手段情報を参照して、第１データ貯蔵手段３１０と第２データ貯蔵手段３３０とのうち読取るデータが書込まれたデータ貯蔵手段を決定する（５３０段階）。
【００７７】
第１データ貯蔵手段３１０と第２データ貯蔵手段３３０とのうち読取るデータが書込まれたデータ貯蔵手段が決定されれば、制御部２２０は書込み／読取り部２８０または第２データ貯蔵手段インターフェース部２９０を制御して、第１データ貯蔵手段３１０または第２データ貯蔵手段３３０に書込まれたデータを読取る（第５５０段階）。読取られたデータは第１コーデック２６１または第２コーデック２６３を通じて所定方式に復号化または復調される。
【００７８】
また、本発明はコンピュータ可読記録媒体にコンピュータ可読コードとして具現することが可能である。コンピュータ可読記録媒体はコンピュータシステムによって可読データが貯蔵されるあらゆる種類の書込み装置を含む。コンピュータ可読記録媒体の例としては、ＲＯＭ、ＲＡＭ、ＣＤ−ＲＯＭ、磁気テープ、フロッピー（登録商標）ディスク、光データ貯蔵装置などがあり、またキャリアウェーブ（例えば、インターネットを通した伝送）の形態に具現されることも含む。また、コンピュータ可読記録媒体はネットワークで連結されたコンピュータシステムに分散され、分散方式でコンピュータ可読コードとして貯蔵されて実行されうる。
【００７９】
以上、本発明による実施例を中心として説明した。本発明が属する技術分野で当業者は本発明が本発明の本質的な特性から外れない範囲で変形された形態に具現できることが理解できるであろう。本発明の範囲は前述した説明でなく、特許請求の範囲に記載されており、それと同等な範囲内にあるあらゆる差異点は本発明に含まれたものと解釈されねばならない。
【産業上の利用可能性】
【００８０】
本発明は情報貯蔵媒体、情報貯蔵媒体にデータの書込み及び読取り分野に適用可能である。
【図面の簡単な説明】
【００８１】
【図１】従来光ディスクの構造の一例を示す図である。
【図２】本発明の一実施例による情報貯蔵媒体を示す図である。
【図３Ａ】図２に示された光データ貯蔵手段の構造の一例を示す図である。
【図３Ｂ】図２に示された光データ貯蔵手段の構造の他の例を示す図である。
【図４】本発明の他の実施例による情報貯蔵媒体を示す図である。
【図５】図４に示された情報貯蔵媒体の断面図である。
【図６】図４に示されたハブの一実施例を示す図である。
【図７】図４に示されたハブの他の実施例を示す図である。
【図８】本発明の一実施例によるデータ書込み及び／または読取り装置のブロック図である。
【図９】本発明の一実施例によるデータ書込み方法のフローチャートである。
【図１０】本発明の一実施例によるデータ読取り方法のフローチャートである。
【符号の説明】
【００８２】
１０    情報貯蔵媒体
１１    カートリッジ
１３    光データ貯蔵手段
１５、２７  メモリチップ
１７    インターフェースロジック
１９    スロット
２０、３００  情報貯蔵媒体
２１    光情報貯蔵手段
２３    ハブ
２４    中央ホール
２５    ＢＣＡデータ
２００  データ書込み／読取り装置
２１０  データ貯蔵部
２２０  制御部
２４０  入力データインターフェース（Ｉ／Ｆ）部
２６０  コーデック
２６１、２６３  第１及び第２コ―デック
２８０  書込み／読取り部
２９０  第２データ貯蔵手段インターフェース（Ｉ／Ｆ）部
３１０、３３０  第１及び第２データ貯蔵手段
【図１】
2004348948.tif 000003
【図２】
2004348948.tif 000004
【図３Ａ】
2004348948.tif 000005
【図３Ｂ】
2004348948.tif 000006
【図４】
2004348948.tif 000007
【図５】
2004348948.tif 000008
【図６】
2004348948.tif 000009
【図７】
2004348948.tif 000010
【図８】
2004348948.tif 000011
【図９】
2004348948.tif 000012
【図１０】
2004348948.tif 000013